(57)【要約】      （修正有）【課題】外灯、交通標識等の支柱を、足場を組み立てることなく解体する工法を提供する。【解決手段】支柱１の上方から、上側保持クランプ２ａ，２ｂ、支持クランプ３、下側保持クランプ４ａ，４ｂを固定する第一工程、上側保持クランプ２ａ，２ｂと下側保持クランプ４ａ，４ｂとに保持部材５を固定し、支持クランプ３に支持パイプ６を固定し、支持パイプ６と昇降装置とを接続する第二工程、支持クランプ３と下側保持クランプ４ａ，４ｂとの間に挟まれた部分を切断して取り外す第三工程、上側保持クランプ２ａ，２ｂと支柱１の支柱上部との固定を緩め、支柱上部を昇降装置で保持部材５に沿って降ろした後、上側保持クランプ２ａ，２ｂと支柱上部とを固定する第四工程、支持クランプ３と支柱上部との固定を緩め、支持クランプ３を上方に移動させて支柱上部と固定する第五工程、とを有し、第三工程から第五工程を繰り返し行う支柱解体工法。【選択図】図４
2017020310.tif 000002
【特許請求の範囲】
【請求項１】
支柱の上方から、上側保持クランプ、支持クランプ、下側保持クランプを、前記支持クランプと前記下側保持クランプとの間に間隔を空けて固定する第一工程、
前記上側保持クランプと前記下側保持クランプとに保持部材を固定し、前記支持クランプに支持パイプを固定し、前記支持パイプと昇降装置とを接続する第二工程、
支柱の前記支持クランプと前記下側保持クランプとの間に挟まれた部分を切断して取り外す第三工程、
前記上側保持クランプと切断された前記支柱の支柱上部との固定を緩め、前記支柱上部を前記昇降装置で前記保持部材に沿って降ろした後、前記上側保持クランプと前記支柱上部とを固定する第四工程、
前記支持クランプと前記支柱上部との固定を緩め、前記支持クランプを上方に移動させて前記支柱上部と固定する第五工程、
とを有し、
前記第三工程から第五工程を繰り返し行うことを特徴とする支柱解体工法。
【請求項２】
前記昇降装置がチェーンブロックであることを特徴とする請求項１に記載の支柱解体方法。
【発明の詳細な説明】
【技術分野】
【０００１】
本発明は、支柱解体工法に関する。
【背景技術】
【０００２】
通常、外灯などの既存支柱は、移動式クレーンで吊り上げ、ぶれ止め等の処置を施した後に、切断して解体される。移動式クレーンを用いることができない所では、支柱の周囲を取り囲む足場を組み立てた後に、上から細かく切断して解体される。足場を組み立てて切断する方法は、支柱切断作業そのものは短時間で終了するのに対し、足場の組立解体作業に時間と手間がかかる。また、足場の高さは支柱の高さにほぼ等しく、足場上での高所作業は作業者落下の危険性もあった。
【発明の概要】
【発明が解決しようとする課題】
【０００３】
本発明は、外灯、交通標識等の支柱を、足場を組み立てることなく解体する工法を提供することを課題とする。
【課題を解決するための手段】
【０００４】
１．支柱の上方から、上側保持クランプ、支持クランプ、下側保持クランプを、前記支持クランプと前記下側保持クランプとの間に間隔を空けて固定する第一工程、
前記上側保持クランプと前記下側保持クランプとに保持部材を固定し、前記支持クランプに支持パイプを固定し、前記支持パイプと昇降装置とを接続する第二工程、
支柱の前記支持クランプと前記下側保持クランプとの間に挟まれた部分を切断して取り外す第三工程、
前記上側保持クランプと切断された前記支柱の支柱上部との固定を緩め、前記支柱上部を前記昇降装置で前記保持部材に沿って降ろした後、前記上側保持クランプと前記支柱上部とを固定する第四工程、
前記支持クランプと前記支柱上部との固定を緩め、前記支持クランプを上方に移動させて前記支柱上部と固定する第五工程、
とを有し、
前記第三工程から第五工程を繰り返し行うことを特徴とする支柱解体工法。
２．前記昇降装置がチェーンブロックであることを特徴とする１．に記載の支柱解体方法。
【発明の効果】
【０００５】
本発明の工法は、足場を設置することなく支柱を解体することができ、支柱解体にかかる期間とコストを短縮できる。本発明の工法は、高所での作業がないため、作業者落下のリスクがなく安全性が高い。
【図面の簡単な説明】
【０００６】
【図１】本発明の支柱解体方法の工程を説明する図
【図２】本発明の支柱解体方法の工程を説明する図
【図３】本発明の支柱解体方法の工程を説明する図
【図４】本発明の支柱解体方法の工程を説明する図
【図５】本発明の支柱解体方法の工程を説明する図
【図６】本発明の支柱解体方法の工程を説明する図
【図７】本発明の支柱解体方法の工程を説明する図
【図８】本発明の支柱解体方法の工程を説明する図
【発明を実施するための形態】
【０００７】
本発明は、移動式クレーンを用いることができない所に設置された外灯などの既存支柱を、足場を組み立てることなく解体する工法に関する。本発明において解体する支柱は、特に制限されず、外灯、照明灯、交通標識、旗ポール、広告塔、通信用アンテナ、鉄塔などを挙げることができる。
【０００８】
具体的には、本発明の解体方法は、
支柱の上方から、上側保持クランプ、支持クランプ、下側保持クランプを、前記支持クランプと前記下側保持クランプとの間に間隔を空けて固定する第一工程、
前記上側保持クランプと前記下側保持クランプとに保持部材を固定し、前記支持クランプに支持パイプを固定し、前記支持パイプと昇降装置とを接続する第二工程、
支柱の前記支持クランプと前記下側保持クランプとの間に挟まれた部分を切断して取り外す第三工程、
前記上側保持クランプと切断された前記支柱の支柱上部との固定を緩め、前記支柱上部を前記昇降装置で前記保持部材に沿って降ろした後、前記上側保持クランプと前記支柱上部とを固定する第四工程、
前記支持クランプと前記支柱上部との固定を緩め、前記支持クランプを上方に移動させて前記支柱上部と固定する第五工程、
とを有し、
前記第三工程から第五工程を繰り返し行うことを特徴とする。
以下、本発明の支柱解体工法を、その工程に沿って具体的に説明するが、本発明の支柱解体方法は、下記記載に限定されない。
【０００９】
「第一工程」
支柱１に、上側保持クランプ２ａ、２ｂ、支持クランプ３、下側保持クランプ４ａ、４ｂを、支柱上方からこの順に固定する（図１）。支柱の断面形状は特に制限されず、角パイプ、丸パイプのみならず、多角形、楕円等、変則的な断面形状であってもよい。各クランプは、市販品を用いることができるが、支柱断面が変則的な断面形状であるときには、クランプと同等の機能を有する治具を制作して代用することができる。これらのクランプは、足場を用いることなく取付可能な高さに固定される。作業性の点から、地面から３０〜１５０ｃｍの高さに固定することが好ましい。下記で詳述するように、支柱１の支持クランプ３と下側保持クランプ４ａとに挟まれた部分は、第三工程で切断して取り除かれるため、支持クランプ３と下側保持クランプ４ａとは間隔を空けて固定される。支持クランプ３と下側保持クランプ４ａとの間隔は特に制限されないが、作業効率の点からは、５０〜８０ｃｍであることが好ましい。上側保持クランプ２ｂと支持クランプ３との間隔は特に制限されない。また、支柱に取り付ける上側保持クランプと下側保持クランプの個数は特に制限されないが、図１に示すように、それぞれ２個のクランプを間隔を空けて支柱１に固定することが、安全性、作業性に優れるため好ましい。
【００１０】
「第二工程」
支柱１の一方の側で、上側保持クランプ２ａ、２ｂと下側保持クランプ４ａ、４ｂとに保持部材５を固定し、支柱１の他方の側で支持クランプ３に支持パイプ６を固定する（図２）。次いで、支持パイプ６と昇降装置とを接続する。
保持部材５は、下記で詳述する第三工程で切断された後の支柱上部を保持できるものであれば特に制限することなく使用することができ、例えば、単管パイプを用いることができる。保持部材５の下端は、支柱１が立つ基準面に差し込んでもよく、固定ベースで支えてもよく、基準面から離れていてもよい。保持部材５は、下端を基準面に差し込まずに、上側保持クランプ２ａ、２ｂと下側保持クランプ４ａ、４ｂとに固定することが、保持部材５の設置が簡便であるため好ましい。また、基準面がコンクリート、アスファルト、タイル等で舗装されていても、舗装を剥がさずに作業することができる。
昇降装置としては、切断された支柱上部を支えながら降下させることができるものであれば特に制限することなく使用することができ、チェーンブロック、レバーブロック、ホイスト、ウィンチ、ジャッキ等を使用することができる。以下では、チェーンブロックを例に説明する。
【００１１】
保持部材５と水平パイプ８中央部とをクランプで固定し、水平パイプ８両端部に垂直パイプ９を固定して二本の垂直パイプ９を立設する。垂直パイプ９はその上部にチェーンブロック７を取り付けた状態で立設する。チェーンブロック７は、支持パイプ６を吊り下げ可能なように、支持パイプ６の高さよりも３０〜１５０ｃｍ高い位置に設置される。垂直パイプ９は、チェーンブロック７を取り付けた状態で立設され、チェーンブロック７の垂直パイプ９上部への取り付けに足場、はしご等は不要である。水平パイプ８の本数は特に制限されないが、二本以上設けることが好ましい。二本以上の水平パイプ８を介して、保持部材５と垂直パイプ９とを固定することで、垂直パイプ９をより安定して立設することができる。また、垂直パイプ９は、水平パイプ８を介して保持部材５に固定されており、基準面に差し込むことなく立設することができる。立設された二本の垂直パイプ９それぞれの上部に取り付けられたチェーンブロック７のロードチェーン７１先端に取り付けられているフックを支持パイプ６に接続する（図３、４）。
なお、昇降装置としてジャッキを用いるのであれば、支持パイプ６を支えるようにジャッキを設置すればよい。
【００１２】
「第三工程」
支柱１の支持クランプ３と下側保持クランプ４との間に挟まれた部分を、チェーンソーで切断して取り外す（図５）。切断する長さは、作業者が持ち運べる重さとなるように適宜選択すればよい。切断により、支柱１は支柱上部１１と支柱下部１２に分離する。切断された支柱上部１１は、上側保持クランプ２ａ、２ｂにより保持部材５に固定されており倒れることはない。
【００１３】
「第四工程」
上側保持クランプ２ａ、２ｂと支柱上部１１との固定を緩める。支柱上部１１と上側保持クランプ２ａ、２ｂとの固定は解除されるが、支柱上部１１は、ロードチェーン７１に吊り下げられており、落下しない。また、上側保持クランプ２ａ、２ｂは、保持部材５に固定されたまま支柱上部１１を緩く保持している。支柱上部１１は、上側保持クランプ２ａ、２ｂに緩く保持され、傾くことなく姿勢を維持することができる。
左右のチェーンブロック７のハンドチェーン（図示せず。）を操作して、ロードチェーン７１を降下させることにより、支柱上部１１を保持部材５に沿ってゆっくりと吊り降ろした後、上側保持クランプ２ａ、２ｂと支柱上部１１とを固定する（図６）。
【００１４】
「第五工程」
支持クランプ３と支柱上部１１との固定を緩め、支持クランプ３を上方に移動させて支柱上部１１と固定する。上側保持クランプ２ａ、２ｂと下側保持クランプ４ａ、４ｂとは保持部材５に固定されたままであるから、支持クランプ３が上方に移動すると、各クランプの位置関係は、上記した第三工程の開始時点と同様になる（図７）。
【００１５】
第三工程から第五工程を繰り返し行うと、支柱１は、複数回の第三工程で切断されて徐々に低くなる。支柱の最上部が作業可能な高さとなるまで第三工程から第五工程を繰り返し（図８）、必要に応じて照明、看板等の付属物を解体し、支柱の最上部を搬出することで支柱１を解体することができる。また、支柱下部１２は、切断、解体、掘り起こし、埋め戻し等により撤去される。
【００１６】
本発明の支柱解体工法は、移動式クレーンが用いられない所に設置された支柱を、低所作業のみで解体することができる。足場の組立解体作業が不要であり、短期間、低コストで支柱を撤去することができる。支柱が建てられた基準面で作業が行え、高所での作業がないため、作業者の落下リスクがなく安全性が高い。ビル屋上等の高所に設置された支柱は、地上に設置された支柱と比較して、落下による危険性が非常に高い。本発明の支柱解体工法は、基準面で全ての作業が行えるため、高所に設置された支柱の解体に特に好適に利用できる。また、本発明の支柱解体工法は、支柱が建てられた基準面を掘り起こすことなく作業が行えるため、基準面を傷つけず、施工作業が容易である。
【符号の説明】
【００１７】
１        支柱
１１      支柱上部
１２      支柱下部
２ａ、ｂ  上側保持クランプ
３        支持クランプ
４ａ、ｂ  下側保持クランプ
５        保持部材
６        支持パイプ
７        チェーンブロック
７１      ロードチェーン
８        水平パイプ
９        垂直パイプ
【図１】
2017020310.tif 000003
【図２】
2017020310.tif 000004
【図３】
2017020310.tif 000005
【図４】
2017020310.tif 000006
【図５】
2017020310.tif 000007
【図６】
2017020310.tif 000008
【図７】
2017020310.tif 000009
【図８】
2017020310.tif 000010